(57)【要約】【課題】伸縮スクリード拡幅時に主スクリードと伸縮スクリードとのオーバーラップ量を最小にでき、一側および他側の伸縮スクリードを従来より大きく拡幅できる舗装用建設機械のスクリード装置を提供する。【解決手段】スクリード装置17は、車体12により牽引する中央の主スクリード21に対し、一側の伸縮スクリード22および他側の伸縮スクリード23を主スクリード21の一側端および他側端より拡幅方向へ移動可能に設ける。主スクリード21の一側部および他側部と、一側および他側の伸縮スクリード22，23との間に、これらの伸縮スクリード22，23をそれぞれ幅方向へ移動可能に支持した支持機構24，25を設ける。これらの支持機構24，25は、主スクリード21の一側端および他側端より拡幅方向へそれぞれ突出した位置にて一側および他側の伸縮スクリード22，23をそれぞれ幅方向へ移動可能に支持する。【選択図】図１
2008255641.tif 000002
【特許請求の範囲】
【請求項１】
主スクリードと、
主スクリードの一側端より拡幅方向へ移動可能に設けられた一側の伸縮スクリードと、
主スクリードの他側端より拡幅方向へ移動可能に設けられた他側の伸縮スクリードと、
主スクリードの一側部および他側部と一側および他側の伸縮スクリードとの間にそれぞれ設けられ、主スクリードの一側端および他側端より拡幅方向へそれぞれ突出された位置にて一側および他側の伸縮スクリードをそれぞれ幅方向へ移動可能に支持した一側および他側の支持機構と
を具備したことを特徴とする舗装用建設機械のスクリード装置。
【請求項２】
一側および他側の支持機構は、
主スクリードの一側端および他側端より拡幅方向へそれぞれ突出可能な一側および他側の第１支持枠体と、
一側および他側の第１支持枠体にて主スクリードより突出可能な部分にてそれぞれ連結され一側および他側の伸縮スクリードをそれぞれ幅方向へ移動可能に支持した一側および他側の第２支持枠体と
を具備したことを特徴とする請求項１記載の舗装用建設機械のスクリード装置。
【発明の詳細な説明】
【技術分野】
【０００１】
本発明は、主スクリードより拡幅方向へ伸縮スクリードが移動可能に設けられた舗装用建設機械のスクリード装置に関する。
【背景技術】
【０００２】
車体により牽引される中央の主スクリードと、主スクリードの一側端より拡幅方向へ移動可能に設けられた一側の伸縮スクリードと、主スクリードの他側端より拡幅方向へ移動可能に設けられた他側の伸縮スクリードと、主スクリードの一側部および他側部と一側および他側の伸縮スクリードとの間にあって一側および他側の伸縮スクリードを支持する一側および他側の支持機構とを備えた舗装用建設機械のスクリード装置が知られている（例えば、特許文献１参照）。
【０００３】
このスクリード装置の支持機構は、伸縮スクリードを幅方向へ移動可能に支持したアーム状のサポート支持部が、常に主スクリード内に規制されている。
【特許文献１】特許第３３８３９０８号公報（第４頁、図１−２）
【発明の開示】
【発明が解決しようとする課題】
【０００４】
このため、伸縮スクリードの最大拡幅時にも、伸縮スクリードの内端が、一側および他側のサポート支持部の相互に対向する側面より内側に位置するように規制され、主スクリードと伸縮スクリードとのオーバーラップ量が多く、一側および他側の伸縮スクリードを十分に拡幅できない。
【０００５】
本発明は、このような点に鑑みなされたもので、伸縮スクリード拡幅時に主スクリードと伸縮スクリードとのオーバーラップ量を最小にでき、一側および他側の伸縮スクリードを従来より大きく拡幅できる舗装用建設機械のスクリード装置を提供することを目的とする。
【課題を解決するための手段】
【０００６】
請求項１に記載された発明は、主スクリードと、主スクリードの一側端より拡幅方向へ移動可能に設けられた一側の伸縮スクリードと、主スクリードの他側端より拡幅方向へ移動可能に設けられた他側の伸縮スクリードと、主スクリードの一側部および他側部と一側および他側の伸縮スクリードとの間にそれぞれ設けられ、主スクリードの一側端および他側端より拡幅方向へそれぞれ突出された位置にて一側および他側の伸縮スクリードをそれぞれ幅方向へ移動可能に支持した一側および他側の支持機構とを具備した舗装用建設機械のスクリード装置である。
【０００７】
請求項２に記載された発明は、請求項１記載の舗装用建設機械のスクリード装置における一側および他側の支持機構が、主スクリードの一側端および他側端より拡幅方向へそれぞれ突出可能な一側および他側の第１支持枠体と、一側および他側の第１支持枠体にて主スクリードより突出可能な部分にてそれぞれ連結され一側および他側の伸縮スクリードをそれぞれ幅方向へ移動可能に支持した一側および他側の第２支持枠体とを具備したものである。
【発明の効果】
【０００８】
請求項１に記載された発明によれば、一側および他側の支持機構は、主スクリードの一側端および他側端より拡幅方向へそれぞれ突出された位置にて一側および他側の伸縮スクリードをそれぞれ幅方向へ移動可能に支持したので、伸縮スクリード拡幅時に主スクリードと伸縮スクリードとのオーバーラップ量を最小にでき、一側および他側の伸縮スクリードを従来より大きく拡幅できる。
【０００９】
請求項２に記載された発明によれば、主スクリードから拡幅方向へ突出可能な一側および他側の第１支持枠体の突出部分にて、伸縮スクリード支持用の一側および他側の第２支持枠体がそれぞれ連結されたので、第１支持枠体に対する第２支持枠体の拡幅方向への取付偏差量により一側および他側の伸縮スクリードの最大拡幅位置を調整できる。
【発明を実施するための最良の形態】
【００１０】
以下、本発明を、図１乃至図８に示された一実施の形態を参照しながら詳細に説明する。
【００１１】
図１および図２に示されるように、舗装用建設機械としてのアスファルトフィニッシャ11は、車体12の前部に、ダンプトラックから合材の供給を受けるホッパ13が設けられ、このホッパ13の下部から車体12の後部にわたって合材を移送するフィーダコンベア装置14が設けられている。車体12の後部には、合材を幅方向に拡散させる螺旋翼を備えたスクリューコンベア装置15が設けられ、このスクリューコンベア装置15の後方には、車体12に牽引手段16を介して連結された合材締め固め用のスクリード装置17が設けられている。
【００１２】
そして、ホッパ13からフィーダコンベア装置14により車体12の後部に移送された合材は、スクリューコンベア装置15の螺旋翼によりスクリード幅方向に拡散され、スクリード装置17の加振作用によって所定の道路幅員と舗装厚に成形される。
【００１３】
スクリード装置17は、車体12により牽引される中央の主スクリード21に対し、一側の伸縮スクリード22が主スクリード21の一側端より拡幅方向へ移動可能に設けられ、他側の伸縮スクリード23が主スクリード21の他側端より拡幅方向へ移動可能に設けられている。さらに、主スクリード21の一側部および他側部と、一側および他側の伸縮スクリード22，23との間には、一側および他側の伸縮スクリード22，23をそれぞれ幅方向へ移動可能に支持した一側および他側の支持機構24，25が設けられている。主スクリード21および伸縮スクリード22，23には、図示しない加振機構が内蔵されている。
【００１４】
一側の伸縮スクリード22は、一側の支持機構24を介し主スクリード21の後側に近接配置され、他側の伸縮スクリード23は、他側の支持機構25を介し一側の伸縮スクリード22の後側に近接配置されている。
【００１５】
これらの一側および他側の支持機構24，25は、主スクリード21の一側部上および他側部上であって図５に示されるように車体側に偏った位置に案内枠体26がそれぞれ一体に設けられ、主スクリード21の一側部上および他側部上であって図５に示されるように伸縮スクリード22側に偏った位置に凹部27がそれぞれ形成され、一側および他側の案内枠体26に、一側および他側の伸縮スクリード22，23の幅方向移動をそれぞれ案内する一側および他側の第１の幅方向ガイドシャフト28が幅方向にそれぞれ摺動自在に嵌合され、一側および他側の凹部27内に、一側および他側の伸縮スクリード22，23をそれぞれ高さ方向移動調整可能に支持する一側および他側の段差調整部29がそれぞれ幅方向移動可能に設置されている。
【００１６】
これらの一側および他側の段差調整部29は、一側および他側の第１の幅方向ガイドシャフト28の一端から他端にわたって、一側および他側の第１支持枠体31がそれぞれ一体に設けられ、これらの一側および他側の第１支持枠体31の反対面側に沿って、一側および他側の高さ方向ガイドシャフト32がそれぞれ高さ方向に一体に設けられ、これらの一側および他側の高さ方向ガイドシャフト32に、一側および他側の第２支持枠体33がそれぞれ高さ方向摺動自在に嵌合されている。
【００１７】
これらの一側および他側の第２支持枠体33に対し、一側および他側の伸縮スクリード22，23上の幅方向全域にわたってそれぞれ一体に設けられた一側および他側の第２の幅方向ガイドシャフト34がそれぞれ摺動自在に嵌合されている。
【００１８】
第１の幅方向ガイドシャフト28、高さ方向ガイドシャフト32および第２の幅方向ガイドシャフト34は、それぞれ、２本を１組として用いることで、軸周りの回転に抗する剛性、曲げに対する剛性を確保する。
【００１９】
一側および他側の第１の幅方向ガイドシャフト28は、主スクリード21の一側部上および他側部上の案内枠体26にて幅方向に直線状に嵌合配置された主スクリード上ガイドシャフトであり、これらの主スクリード上ガイドシャフトの移動案内により一側および他側の伸縮スクリード22，23をそれぞれ幅方向へ移動可能に支持する。
【００２０】
図３に示されるように、一側および他側の第２の幅方向ガイドシャフト34は、一側および他側の伸縮スクリード22，23の上方に取付枠体35によりそれぞれ一体化された伸縮スクリード上ガイドシャフトであり、これらの伸縮スクリード上ガイドシャフトにより一側および他側の伸縮スクリード22，23をそれぞれ幅方向へ移動案内する。
【００２１】
図４に示されるように、第１支持枠体31には、本体プレート41の一側端および他側端より主スクリード側に、複数の第１の幅方向ガイドシャフト28の一端および他端をそれぞれ複数の取付穴42で固定保持する幅方向用ブラケット43が、それぞれ一体に突設され、また、本体プレート41の上端および下端より伸縮スクリード側に、複数の高さ方向ガイドシャフト32の上端および下端をそれぞれ複数の取付穴44で固定保持する高さ方向用ブラケット45が、それぞれ一体に突設されている。
【００２２】
第２支持枠体33には、プレート状（一側の支持機構24の場合）またはボックス状（他側の支持機構25の場合）に形成された本体部46の主スクリード側の上端および下端に、複数の高さ方向ガイドシャフト32と高さ方向摺動自在に嵌合する複数の摺動穴47を穿設した高さ方向用スライドプレート48が、それぞれ一体に突設され、また、上記本体部46の伸縮スクリード側の一側端および他側端に、複数の第２の幅方向ガイドシャフト34と摺動自在に嵌合する複数の摺動穴49を穿設した幅方向用スライドプレート50が、それぞれ一体に突設されている。
【００２３】
そして、第１支持枠体31の上下の高さ方向用ブラケット45間に嵌着された高さ方向ガイドシャフト32は、本体プレート41の中央より拡幅側に偏った場所に穿設された取付穴44に固定されている。これにより、一側および他側の段差調整部29は、主スクリード21の一側端および他側端より拡幅方向へそれぞれ突出可能に設けられている。
【００２４】
すなわち、図６から図７への変化で示されるように、一側および他側の支持機構24，25は、主スクリード21の一側端および他側端より拡幅方向へそれぞれ突出可能な一側および他側の第１支持枠体31を備え、これらの一側および他側の第１支持枠体31にて主スクリード21より拡幅方向へ突出可能な部分において、一側および他側の伸縮スクリード22，23をそれぞれ幅方向へ移動可能に支持した一側および他側の第２支持枠体33がそれぞれ連結されている。要するに、主スクリード21の一側端および他側端より拡幅方向へそれぞれ突出された位置にて一側および他側の伸縮スクリード22，23をそれぞれ幅方向へ移動可能に支持している。
【００２５】
一側および他側の支持機構24，25は、主スクリード21に対し第１支持枠体31を幅方向に移動する駆動手段（図示せず）と、第１支持枠体31に対し第２支持枠体33を高さ方向に移動する駆動手段（図示せず）と、第２支持枠体33に対し伸縮スクリード22，23を幅方向に移動する駆動手段（図示せず）とをそれぞれ備えている。これらの駆動手段としては、油圧シリンダまたは螺進式送り機構などを用いるが、図示は省略する。
【００２６】
例えば、一側および他側の段差調整部29は、主スクリード21に対して一側および他側の伸縮スクリード22，23を複数の高さ方向ガイドシャフト32に沿ってそれぞれ高さ方向に移動調整するための油圧シリンダまたは螺進式昇降機構を備えている。
【００２７】
次に、この実施の形態の作用を説明する。
【００２８】
図８（ａ）に示されるように、非作業時は、一側および他側の第１支持枠体31を、それぞれ主スクリード21の一側部上および他側部上に収納し、さらに、一側および他側の第２支持枠体33に対して、右側の伸縮スクリード22を左方へ限界まで移動させるとともに、左側の伸縮スクリード23を右方へ限界まで移動させることで、これらの伸縮スクリード22，23を主スクリード21の全幅内に収める。
【００２９】
作業時は、先ず、図８（ｂ）に示されるように一側および他側の第２支持枠体33に対して、一側および他側の伸縮スクリード22，23を拡幅方向に移動させ、さらに、図８（ｃ）に示されるように、主スクリード21上の一側および他側の案内枠体26に対して、一側および他側の第１支持枠体31をそれぞれ拡幅方向に移動させ、それらの半分を主スクリード21の左右両端から突出させる。これにより、一側および他側の段差調整部29は、主スクリード21の全幅より外側へ移動する。
【００３０】
これらの段差調整部29により、一側および他側の第１支持枠体31に対し一側および他側の第２支持枠体33を高さ方向に移動調整することで、主スクリード21に対する伸縮スクリード22，23の段差調整をする。
【００３１】
次に、この実施の形態の効果を説明する。
【００３２】
一側および他側の支持機構24，25は、主スクリード21に対して一側および他側の伸縮スクリード22，23をそれぞれ高さ方向に移動調整する段差調整部29を、主スクリード21の一側端および他側端より拡幅方向へそれぞれ突出可能に設けたので、拡幅時の段差調整部29を主スクリード21内の定位置に固定したものと比べると、段差調整部29を主スクリード21の一側端および他側端より拡幅方向へそれぞれ突出させた分だけ、これらの段差調整部29から拡幅時の伸縮スクリード先端までの距離を短くして段差調整部29に作用する負荷モーメントを低減でき、段差調整部29の強度を容易に確保できる。
【００３３】
さらに、複数の高さ方向ガイドシャフト32により、負荷モーメントを受ける段差調整部29の強度を容易に確保できる。
【００３４】
また、一側および他側の支持機構24，25は、主スクリード21上で直線状に配置された一側および他側の主スクリード上ガイドシャフト（第１の幅方向ガイドシャフト28）の移動案内により一側および他側の伸縮スクリード22，23をそれぞれ幅方向へ移動可能に支持したので、主スクリード21と主スクリード上ガイドシャフトとの間や、一側および他側の主スクリード上ガイドシャフト相互間に無駄な前後方向スペースが生じることを防止でき、一側および他側の支持機構24，25を主スクリード21側にコンパクトにまとめて、前後方向の全長寸法を抑えることができるとともに、前後方向の重量バランスを容易に調整できる。すなわち、車体12とスクリード装置17との重量バランスを保つことができる。車体側カウンタウエイトの重量増加を抑えることもできる。
【００３５】
さらに、一側および他側の支持機構24，25は、主スクリード21上に設置された主スクリード上ガイドシャフトに加えて、さらに一側および他側の伸縮スクリード22，23上にそれぞれ一体化された伸縮スクリード上ガイドシャフト（第２の幅方向ガイドシャフト34）を備えたので、伸縮スクリード22，23とそのガイドシャフトとの前後方向間に無駄なスペースが生じることも防止でき、より効果的に、前後方向の全長寸法を抑え、前後方向の重量バランスを容易に調整できる。
【００３６】
また、一側および他側の支持機構24，25は、主スクリード21の一側端および他側端より拡幅方向へそれぞれ突出された位置にて一側および他側の伸縮スクリード22，23をそれぞれ幅方向へ移動可能に支持したので、伸縮スクリード拡幅時に主スクリード21と伸縮スクリード22，23とのオーバーラップ量を最小にでき、一側および他側の伸縮スクリード22，23を従来より大きく拡幅できる。
【００３７】
さらに、主スクリード21から拡幅方向へ突出可能な一側および他側の第１支持枠体31の突出部分にて、伸縮スクリード支持用の一側および他側の第２支持枠体33がそれぞれ連結されたので、第１支持枠体31に対する第２支持枠体33の拡幅方向への取付偏差量により一側および他側の伸縮スクリード22，23の最大拡幅位置を調整できる。
【００３８】
また、一側および他側の支持機構24，25は、主スクリード21上に案内枠体26と凹部27とを設け、案内枠体26に第１の幅方向ガイドシャフト28を幅方向移動可能に嵌合し、凹部27に高さ方向移動調整用の段差調整部29を幅方向移動可能に設置したので、伸縮スクリード22，23を幅方向および高さ方向に移動する手段を主スクリード21上にスペース効率良くコンパクトに設置できる。
【００３９】
さらに、主スクリード21上の車体12側に偏って設けられた案内枠体26と、伸縮スクリード22，23側に偏って形成された凹部27とにより、主スクリード21上に十分な平面スペースがなくても第１の幅方向ガイドシャフト28と段差調整部29とを併設できる。
【００４０】
また、案内枠体26と、第１の幅方向ガイドシャフト28と、第１支持枠体31と、高さ方向ガイドシャフト32と、第２支持枠体33と、第２の幅方向ガイドシャフト34とにより、一側および他側の伸縮スクリード22，23をそれぞれ幅方向へ移動可能に支持した一側および他側の支持機構24，25をそれぞれ形成したので、ガイドシャフトと支持枠体とが交互に繰返し用いられた閉枠構造によって、支持機構24，25の剛性を確保でき、剛性確保のための重量増加を抑えることができ、これにより、車体12とスクリード装置17との重量バランスを保つための車体側カウンタウエイトの重量増加を抑えることもできる。
【００４１】
さらに、第１支持枠体31は、本体プレート41と、その一側端および他側端より主スクリード21側にそれぞれ突出された幅方向用ブラケット43と、複数の第１の幅方向ガイドシャフト28とにより閉枠体を構成するとともに、反対側では、本体プレート41と、その上端および下端より伸縮スクリード22，23側にそれぞれ突出された高さ方向用ブラケット45と、複数の高さ方向ガイドシャフト32とにより閉枠体を構成したので、高剛性の支持機構24，25をコンパクトに構成できる。
【００４２】
本発明は、アスファルトフィニッシャなどの舗装用建設機械に利用可能である。
【図面の簡単な説明】
【００４３】
【図１】本発明に係るスクリード装置を備えた舗装用建設機械の一実施の形態を示す平面図である。
【図２】同上舗装用建設機械の側面図である。
【図３】同上スクリード装置を後側から見た背面図である。
【図４】同上スクリード装置の支持機構を示す分解斜視図である。
【図５】同上スクリード装置の側面図である。
【図６】同上スクリード装置の収納状態を示す斜視図である。
【図７】同上スクリード装置の最大拡幅状態を示す斜視図である。
【図８】（ａ）は同上スクリード装置の収納状態を示す平面図、（ｂ）は同上スクリード装置の半拡幅状態を示す平面図、（ｃ）は同上スクリード装置の最大拡幅状態を示す平面図である。
【符号の説明】
【００４４】
21    主スクリード
22，23    伸縮スクリード
24，25    支持機構
31    第１支持枠体
33    第２支持枠体
【図１】
2008255641.tif 000003
【図２】
2008255641.tif 000004
【図３】
2008255641.tif 000005
【図４】
2008255641.tif 000006
【図５】
2008255641.tif 000007
【図６】
2008255641.tif 000008
【図７】
2008255641.tif 000009
【図８】
2008255641.tif 000010